(57)【要約】【課題】食品の出来上がりが高温である場合は、表示手段に、食品が高温であると表示することを可能とする。【解決手段】高周波発生手段１１を制御する制御手段１６と、赤外線センサにより温度を検出する温度検出手段１０と、加熱物の進行状況を表示する表示手段７と、加熱開始してからの温度検出手段１０の検出する温度分布から被加熱物の有無を判別する判別手段１８とを備え、被加熱物が存在すると判別した時点で、被加熱物の温度が予め設定された所定温度以上の時に、被加熱物が高温と注意喚起を表示手段７に表示することを特徴とした高周波加熱装置。【選択図】図１
2010096380.tif 000002
【特許請求の範囲】
【請求項１】
被加熱物を収納する加熱室と、前記加熱室に高周波電波を供給する高周波発生手段と、前記被加熱部からの赤外線エネルギーの放射を検出する赤外線センサにより前記被加熱部の温度を検出する温度検出手段と、前記被加熱物の進行状況を表示する表示手段と、前記温度検出手段の検出温度に基づき前記高周波発生装置を制御する制御手段と、前記高周波発生手段により加熱開始してからの前記温度検出手段の検出する温度分布から被加熱物の有無を判別する判別手段とを備え、前記判別手段により被加熱物が存在すると判別した時点で、被加熱物の温度が予め設定された所定温度以上の時に、被加熱物が高温と注意喚起を前記表示手段に表示することを特徴とした高周波加熱装置。
【請求項２】
加熱室の底面中央部分の温度検出手段の検出温度が予め設定された所定温度以上の時には、前記判別手段により被加熱物が有ると判断する前でも加熱を停止することを特徴とした請求項１記載の高周波加熱装置。
【発明の詳細な説明】
【技術分野】
【０００１】
本発明は、赤外線センサにより加熱室内の温度を検出し、安全性に配慮した高周波加熱装置に関するものである。
【背景技術】
【０００２】
従来、マグネトロンによる高周波加熱機能を備えた高周波加熱手段は、加熱時には食品の温度を検出する赤外線センサを用いて温度検出に基づき加熱を制御する制御手段を備えている。また、加熱室の内底部は食品を載置するターンテーブルを備え、且つターンテーブルを介して食品の重量を検出する重量センサを搭載し、食品の重量に応じた最長加熱時間を設定可能とし、食品を加熱し過ぎないようにしている。ところが近年では上記ターンテーブルを設けない構成の高周波加熱装置が望まれ、食品の載置面を加熱室底部の全体にわたり平坦状にし、清掃性の容易性や食品の載置領域を広げ、取り扱い性も良好になるなど改善が図られてきている。このような利便性を得る一方、上記したターンテーブルを介して食品の重量を計測していた重量センサを備えることは構成上困難となり、従って、斯かる構成では加熱調理時の食品の温度を検出する赤外線センサに基づき加熱制御することになる。そこで、この種の加熱調理器では赤外線センサによる検出視野を広い領域に亘り確保するために、該赤外線センサを移動させるステッピングモータ等からなる駆動手段を設け、食品が検出視野から極力外れないようにして、加熱開始してからの時間的な温度上昇により、食品が冷凍状態であるか、非冷凍状態か判別して加熱制御することで良好な加熱を行えるようにしている。
【特許文献１】特開２００４−３６１０２０号公報
【発明の開示】
【発明が解決しようとする課題】
【０００３】
しかしながら、前記従来の構成では、加熱完了後にあたため足りないで、再度、加熱した時、または、少量の食品の場合、加熱開始してからの食品の温度上昇がないと食品が冷凍状態であるか、非冷凍状態か判別できないので、食品の判別できた時点では、予め設定されている食品の所定温度より高い温度まで加熱し過ぎて、食品が高温になってしまうという課題を有していた。
【０００４】
本発明は前記従来の課題を解決するもので、食品の出来上がりが高温である場合は、表示手段に、食品が高温であると表示することで、お客様は食品が高温だと認識し易くして、より安全で使い勝手の良い高周波加熱装置を提供することを目的とする。
【課題を解決するための手段】
【０００５】
本発明の高周波加熱装置は、上記目的を達成するため、被加熱物を収納する加熱室と、前記加熱室に高周波電波を供給する高周波発生装置と、前記被加熱部からの赤外線エネルギーの放射を検出する赤外線センサにより前記被加熱部の温度を検出する温度検出手段と、前記被加熱物の進行状況を表示する表示手段と、前記温度検出手段の検出温度に基づき前記高周波発生装置を制御する制御手段と、前記高周波発生手段により加熱開始してからの前記温度検出手段の検出する温度分布から被加熱物の有無を判別する判別手段とを備え、前記判別手段により被加熱物が存在すると判別した時点で、被加熱物の温度が予め設定された所定温度以上の時に、被加熱物が高温と注意喚起を前記表示手段に表示するとしたものである。
【０００６】
これにより、加熱完了後にあたため足りないで、再度、加熱した時、または、少量の食品の場合、加熱室内に食品があると判別できた時点で、予め設定されている食品の所定温
度以上だと、表示手段に、食品が高温であると表示することで、お客様は食品が高温だと認識し易くして、より安全で使い勝手の良い高周波加熱装置を提供することができる。
【発明の効果】
【０００７】
本発明の加熱装置は、食品の出来上がりが高温である場合は、表示手段に、食品が高温であると表示することで、お客様は食品が高温だと認識し易くして、より安全で使い勝手の良い高周波加熱装置とすることができる。
【発明を実施するための最良の形態】
【０００８】
第１の発明は、被加熱物を収納する加熱室と、前記加熱室に高周波電波を供給する高周波発生装置と、前記被加熱部からの赤外線エネルギーの放射を検出する赤外線センサにより前記被加熱部の温度を検出する温度検出手段と、前記被加熱物の進行状況を表示する表示手段と、前記温度検出手段の検出温度に基づき前記高周波発生装置を制御する制御手段と、前記高周波発生手段により加熱開始してからの前記温度検出手段の検出する温度分布から被加熱物の有無を判別する判別手段とを備え、前記判別手段により被加熱物が存在すると判別した時点で、被加熱物の温度が予め設定された所定温度以上の時に、被加熱物が高温と注意喚起を前記表示手段に表示することにより、加熱完了後にあたため足りないで、再度、加熱した時、または、少量の食品の場合、加熱室内に食品があると判別できた時点で、予め設定されている食品の所定温度以上だと、表示手段に、食品が高温であると表示するものである。
【０００９】
これにより、お客様は食品が高温だと認識し易くして、より安全で使い勝手の良い高周波加熱装置を提供することができる。
【００１０】
第２の発明は、特に、第１の発明の加熱室の底面中央部分の温度検出手段の検出温度が予め設定された所定温度以上の時には、前記判別手段により被加熱物が有ると判断する前でも加熱を停止することにより、加熱完了後にあたため足りないで、再度、加熱した時、または、少量の食品の場合でも、食品を加熱室内の底面中央部分に置けば、加熱室内の底面中央部分の温度が、予め設定されている食品の所定温度以上だと、食品の有無の判別する前でも加熱を停止することができるので加熱し過ぎることなく、食品を適切な加熱ができる使い勝手の良い高周波加熱装置を提供することができる。
【００１１】
以下本発明の実施の形態について、図面を参照しながら説明する。なお、この実施の形態によって本発明が限定されるものではない。
【００１２】
（実施の形態）
図１は、本発明の実施の形態における高周波加熱装置の断面図を示すものである。
【００１３】
図１において、加熱室１に収納された食品２は、加熱室１の底面と略同一の受け皿３上に載置されている。
【００１４】
受け皿３はガラスあるいはセラミックあるいは樹脂などの電波透過性の材料が用いられる。加熱室１の食品２を出し入れする開口４には、開閉自在に設けられた扉５が設けられている。
【００１５】
図２に示す本発明の高周波加熱装置の斜視図において、扉５の下部には操作部６が設けられ、メニューの選択、加熱開始の指示などを行い、その加熱進行状況、お客様へのお知らせを操作部６の表示手段７にて表示する。
【００１６】
自動加熱の場合は、加熱の進行状況として、食品２の加熱設定温度と食品２の現在温度
表示を行う。加熱室１の開口４の対向する側面８には開口９が設けられ、開口９の外側近傍には温度検出手段１０（赤外線センサ）が設けられている。
【００１７】
加熱室１の下部には電波を発振する高周波発生手段１１が設けられ、発振した電波は導波管１２を経由し、加熱室１の下部のほぼ中心に設けられた給電口１３を通じて加熱室１内に給電される。これにより、給電口１３の直上に置かれる食品２へ電波が効率良く吸収され加熱効率が向上する。
【００１８】
給電口１３の上部には回転導波管１４が設けられ、駆動モータ１５により回転駆動される。これにより、食品２の近傍の電波をより多く撹拌でき均一な加熱が可能となる。
【００１９】
以上のように構成された高周波加熱装置について、以下にその動作、作用を説明する。
【００２０】
まず、加熱室１に食品２が収納され受け皿３上に載置される。扉５の操作部６において、メニューの選択、仕上がり温度の調節などが行なわれ加熱の開始が指示される。
【００２１】
加熱開始の指示は制御手段１６に伝達され，高周波加熱手段１１が電波を発振し導波管１２を通して給電口１３から加熱室１に給電される。給電口１３の上部には攪拌装置である回転導波管１４が駆動モータ１５により回転駆動されている。
【００２２】
回転導波管１４により攪拌された電波は食品２に吸収され加熱される。側面８には開口９が設けられ、開口９の外側近傍には温度検出手段１０が設けられ、一次元に配列された赤外線センサ素子を搭載した赤外線センサは、ステッピングモータ１７により左右に揺動され、加熱中は受け皿３上のほぼ全域の温度を検出可能となり、受け皿３上の食品２の加熱中の温度も検出される。
【００２３】
図３に示す本発明の高周波加熱装置での赤外線センサの温度取得エリア図において、温度検出手段１０の駆動手段であるステッピングモータ１７により、図３中に示す矢印Ｐ１方向に揺動可能な構成としている。
【００２４】
しかるに、温度検出手段１０は、例えば８個の赤外線検出素子を直線状に配列してなり（図示せず）、図３に示す受け皿３上に投影される各素子による検出視野Ａ１〜Ａ８は、受け皿３上の左右幅方向のほぼ全長に亘り直線状の領域を占めるように設けられている。
【００２５】
従って、温度検出手段１０が、ステッピングモータ１７にて矢印Ｐ１方向に揺動されると、上記検出視野Ａ１〜Ａ８も受け皿３上を矢印Ｐ２方向（図示手前方向）に往復移動する。これにより、食品２が設置される受け皿３上のほぼ全域を、温度検出手段１０にて検出可能な視野としている。
【００２６】
加熱開始すると、温度検出手段１０により、１スキャン目の受け皿３全体の温度の検出結果を制御手段１６に記憶し、３スキャン目に温度検出手段１０で温度データを検出した位置と同じ位置の検出温度の温度上昇値が５℃以上あれば、制御手段１６の判別手段１８にて、食品２が有ると判別すると同時に、食品２が受け皿３のどの位置にあるのかを判断している。
【００２７】
温度上昇値が５℃未満だと、その位置は受け皿３の検出温度と判断し、食品２がないと判断する。
【００２８】
なお、食品２の有無の判断方法として、１スキャン目と３スキャン目の温度上昇値が５℃と記載したが、１スキャン目と４スキャン目というように１スキャン目と何スキャン目
の比較をするかの判断と温度上昇値を何℃にするかは、柔軟に対応すればよいことは言うまでもない。
【００２９】
食品２が有ると判別すると、制御手段１６で記憶していた１スキャン目の食品２があると判別した位置の検出温度によって、冷凍食品、冷蔵食品、常温食品の識別を行い、それによって、温度検知後、追加加熱を行うか、行わないかを決定する構成としている。
【００３０】
このため、冷凍食品など表面的には一時的にあたたかくなり温度検知したとしても、食品の中身はまだ凍ったままという事態が調理物の形状によってはあったりするが、冷凍食品の場合、温度検知後も低めの出力にて加熱することで、食品全体を均一に仕上げることが可能となり、冷凍食品および冷蔵食品の加熱性能を向上するものである。
【００３１】
また、温度検出手段１０により、食品２が有ると判別すると、制御手段１６で記憶していた１スキャン目の検出温度より食品２があると判別した位置の検出温度からの温度上昇値により、上昇値が一定値以上である場合に、食品２が塩分含有量の多い食品（みそ汁）であると判別し、みそ汁と判別された場合は、温度検出手段１０にて検出される温度が、実際の食品の温度より高くなるという事象を考慮し、検出した温度に一定温度マイナス補正をかけた温度で温度検知判定を実行する構成としている。
【００３２】
このため、みそ汁など塩分含有量の多い食品は、実際には食品内部温度よりも表面温度が上がりやすい傾向にあるが、表面温度だけで検知すると、実際の食品自体の温度は設定温度に対し低めに仕上がる結果となってしまうのを防止し、塩分含有量の多い食品であっても、仕上がりは均一になるため、加熱性能が向上するものである。
【００３３】
また、食品２が有ると判別した時点で、予め設定された所定温度以上の時（例えば、食品２の検出温度が５０℃以上の時）に、制御手段１６で食品２が高温という状態を記憶して、加熱が終了した時に、表示手段７に食品２が高温という注意喚起の表示をすることで、お客様は食品が高温だと認識し易くして、より安全で使い勝手の良い高周波加熱装置を提供することができる。
【００３４】
また、自動加熱の場合は、表示手段７に、食品２の加熱設定温度と食品２の現在温度表示を行われる。
【００３５】
この現在温度表示は、お客様へ不安を与えないように加熱設定温度以上の場合は、現在温度表示が表示されないようにしているので、温度検出手段１０により検出された温度で、温度検知した時に、表示手段７に現在温度表示されていない、かつ予め設定された所定温度以上の時（例えば、食品２の検出温度が５０℃以上の時）に、制御手段１６で食品２が高温という状態を記憶して、加熱が終了した時に、表示手段７に食品２が高温という注意喚起の表示をすることができる。
【００３６】
これにより、食品２の状態、種類に応じた最適な加熱が実現できるとともに、加熱完了後にあたため足りないで、再度、加熱した時、または、少量の食品の場合で、食品２の出来上がりが高温の場合は、表示手段に食品２が高温であると表示することで、お客様は食品が高温だと認識し易くして、より安全で使い勝手の良い高周波加熱装置を提供することができる。
【００３７】
また、お客様は、通常、食品２を受け皿３の中央部に置くので、温度検出手段１０で受け皿３の中央部分の温度が、予め設定されている食品の所定温度以上だと、食品２の有無の判別ができていない状態でも加熱を停止することで加熱し過ぎることなく、食品を適切な加熱ができる使い勝手の良い高周波加熱装置を提供することができる。
【産業上の利用可能性】
【００３８】
以上のように、本発明にかかる高周波加熱装置は、食品の出来上がりが高温である場合は、表示手段に、食品が高温であると表示することで、お客様は食品が高温だと認識し易くして、より安全で使い勝手の良い高周波加熱装置とすることができる。
【図面の簡単な説明】
【００３９】
【図１】本発明の実施の形態にかかる高周波加熱装置の断面図
【図２】本発明の実施の形態にかかる高周波加熱装置の斜視図
【図３】本発明の実施の形態にかかる高周波加熱装置における赤外線センサの温度取得エリア図
【符号の説明】
【００４０】
１  加熱室
７  表示手段
１０  温度検出手段
１１  高周波加熱手段
１６  制御手段
１８  判別手段
【図３】
2010096380.tif 000003
【図１】
2010096380.tif 000004
【図２】
2010096380.tif 000005